(57)【要約】【課題】極めて低いコストで十分に巻弛み防止機能を果たす部分を備える昇華転写リボンのカセット及び極めて低いコストで昇華転写リボンの巻弛みを防止する方法を提供する。【解決手段】昇華転写リボン２のカセットは昇華転写リボンが巻き付けられる第１のボビン３及び該第１のボビン３から巻き出された昇華転写リボン２が巻き取られる第２のボビン４と両ボビン３，４を支持するカセット本体を備える。ボビン３，４とカセット本体の外面または内面の間にボビンの回り止め部材の着脱が可能な部分が形成されている。カセットのボビン３，４とカセット本体の外面または内面の間にボビンの回り止め部材１２を装着することにより昇華転写リボン２の巻弛みを防止することができる。【選択図】　図３
2004098367.tif 000002
【特許請求の範囲】
【請求項１】
昇華転写リボンが巻き付けられる第１のボビン及び該第１のボビンから巻き出された昇華転写リボンが巻き取られる第２のボビンと両ボビンを支持するカセット本体を備える昇華転写リボンのカセットであって、前記ボビンとカセット本体の外面又は内面の間にボビンの回り止め部材の着脱が可能な部分が形成されていることを特徴とする昇華転写リボンのカセット。
【請求項２】
カセット本体が、第１及び第２のボビンを囲む筒状壁と該筒状壁の両端を塞ぐ側壁とからなり筒状壁には昇華転写リボンの通過口が開口しており両側壁にはボビン支承孔が開口しているリボン収容部と、両リボン収容部の間に位置し両リボン収容部に連続するカセット枠とを含み、ボビンの回り止め部材の着脱が可能な部分が、リボン収容部から突出するボビンとカセット枠の端部の間に形成されていることを特徴とする請求項１に記載の昇華転写リボンのカセット。
【請求項３】
第１及び第２のボビンとしてフランジ部を有するボビンを備え、カセット本体が、フランジ部付きボビンの周囲を部分的に囲む周壁と該周壁に続く側壁を含み該側壁はボビン支承部を備える開放型ボビン支持部と、両ボビン支持部の間に位置し該ボビン支持部に連続するカセット枠とを含み、ボビンの回り止め部材の着脱が可能な部分が、フランジ部の外面とカセット枠の内面の間に形成されていることを特徴とする請求項１に記載の昇華転写リボンのカセット。
【請求項４】
ボビンの回り止め部材として発泡シートがボビンとカセット本体の外面又は内面の間に取り付けられていることを特徴とする請求項１に記載の昇華転写リボンのカセット。
【請求項５】
昇華転写リボンが巻き付けられる第１のボビン及び該第１のボビンから巻き出された昇華転写リボンが巻き取られる第２のボビンと両ボビンを支持するカセット本体とを備える昇華転写リボンのカセットにおけるボビンとカセット本体の外面又は内面の間にボビンの回り止め部材を装着することを特徴とする昇華転写リボンの巻弛み防止方法。
【請求項６】
回り止め部材として発泡シートを用いることを特徴とする請求項５に記載の昇華転写リボンの巻弛み防止方法。
【発明の詳細な説明】
【０００１】
【発明の属する技術分野】
本発明は、昇華転写リボンのカセット及び昇華転写リボンの巻弛み防止方法に関する。
【０００２】
【従来の技術】
従来より、感熱昇華転写材料がコンピュータ画像処理による電子的映像を、フルカラーのハードコピーに出力するために用いられ、さまざまな画像システムの出力端末に利用されている。この感熱昇華転写材料は熱転写シートと受像シートからなり、熱転写シートと受像シートを重ねて転写装置のサーマルヘッドとプラテンロールの間を通過させるときに、染料層の裏面から瞬間的に高温加熱すると昇華性染料が昇華して染料受容層中に拡散溶解し着色する。
【０００３】
上記した熱転写シートの転写装置への供給は昇華転写リボンのカセットを使用して行われる。この昇華転写リボンのカセットは、巻き出し側ボビンと巻き取り側ボビンの二つのボビンを備えるもので、カセットの出荷時には巻き出し側のボビンに感熱転写リボンが巻き付けられており、また巻き付けられたリボンの一端は巻き取り側ボビンの方へ引き出されてその端部が巻き取り側ボビンに接着されている。そして、出荷途中に外力の影響を受けてボビンが回転すると、昇華転写リボンの巻きが解けて巻き取り側カセットの方へ巻き出され、印刷面を傷つけることがあるので、出荷製品には巻き出し側のボビンに巻弛み防止機構を設ける必要がある。
【０００４】
従来、この巻弛み防止機構として図１に示すようなかぎ形の紙片Ｐを使用し、この紙片Ｐの端部１をボビンの端部の孔にはめこみ、それによって外力の影響を受けてボビンが回転することを防止するものがある。
【０００５】
また、カセット内部に複雑なボビンの空回り防止機構を有し、カセットケースを転写装置に装着すると、ボビンとカセットケースとの係合が解除されるように構成されたものも知られている（例えば、特許文献１参照。）。
【０００６】
【特許文献１】
特公昭４−２１１０号公報
【０００７】
【発明が解決しようとする課題】
しかしながら、上記した何れの巻弛み防止機構もコストが高いという問題点があり、中でも後者のような複雑な空回り防止機構を有するものは特にコストが高いという難点がある。
【０００８】
本発明は、上記のような問題点に鑑みてなされたものであり、その目的とするところは、極めて低いコストで十分に巻弛み防止機能を果たすことのできる昇華転写リボンのカセットを提供し、併せて昇華転写リボンの巻弛み防止方法を提供することである。
【０００９】
【課題を解決するための手段】
請求項１に記載の発明である昇華転写リボンのカセットは、昇華転写リボンが巻き付けられる第１のボビン及び該第１のボビンから巻き出された昇華転写リボンが巻き取られる第２のボビンと両ボビンを支持するカセット本体を備える昇華転写リボンのカセットであって、前記ボビンとカセット本体の外面又は内面の間にボビンの回り止め部材の着脱が可能な部分が形成されていることを特徴としている。
【００１０】
請求項２に記載の発明である昇華転写リボンのカセットは、請求項１に記載の昇華転写リボンのカセットにおいて、カセット本体が、第１及び第２のボビンを囲む筒状壁と該筒状壁の両端を塞ぐ側壁とからなり筒状壁には昇華転写リボンの通過口が開口しており両側壁にはボビン支承孔が開口しているリボン収容部と、両リボン収容部の間に位置し両リボン収容部に連続するカセット枠とを含み、ボビンの回り止め部材の着脱が可能な部分が、リボン収容部から突出するボビンとカセット枠の端部の間に形成されていることを特徴としている。
【００１１】
請求項３に記載の発明である昇華転写リボンのカセットは、請求項１に記載の昇華転写リボンのカセットにおいて、第１及び第２のボビンとしてフランジ部を有するボビンを備え、カセット本体が、フランジ部付きボビンの周囲を部分的に囲む周壁と該周壁に続く側壁を含み該側壁はボビン支承部を備える開放型ボビン支持部と、両ボビン支持部の間に位置し該ボビン支持部に連続するカセット枠とを含み、ボビンの回り止め部材の着脱が可能な部分が、フランジ部の外面とカセット枠の内面の間に形成されていることを特徴としている。
【００１２】
請求項４に記載の発明である昇華転写リボンのカセットは、請求項１に記載の昇華転写リボンのカセットにおいて、ボビンの回り止め部材として発泡シートがボビンとカセット本体の外面又は内面の間に取り付けられていることを特徴としている。
【００１３】
請求項５に記載の発明である昇華転写リボンの巻弛み防止方法は、昇華転写リボンが巻き付けられる第１のボビン及び該第１のボビンから巻き出された昇華転写リボンが巻き取られる第２のボビンと両ボビンを支持するカセット本体とを備える昇華転写リボンのカセットにおけるボビンとカセット本体の外面又は内面の間にボビンの回り止め部材を装着することを特徴としている。
【００１４】
請求項６に記載の発明である昇華転写リボンの巻弛み防止方法は、請求項５に記載の昇華転写リボンの巻弛み防止方法において、回り止め部材として発泡シートを用いることを特徴としている。
【００１５】
本発明の昇華転写リボンのカセットの昇華転写リボンの巻弛み防止方法において、回り止め部材として発泡シートを用いるのが望ましい。
【００１６】
【発明の実施の形態】
次に、本発明の実施の形態について図面を参照しながら説明する。
【００１７】
図２は本発明に係る昇華転写リボンのカセットの一例を上方から見た状態で示す概観図である。
【００１８】
図２に示す昇華転写リボンのカセットは、昇華転写リボン２が巻き付けられる第１のボビン３及び該第１のボビン３から巻き出された昇華転写リボン２が巻き取られる第２のボビン４と両ボビン３，４を支持するカセット本体を備える。そして、ボビン３又はボビン４とカセット本体の外面又は内面の間に、ボビン３又はボビン４の回り止め部材の着脱が可能な部分が形成されている。
【００１９】
カセット本体は、第１及び第２のボビン３，４を囲む筒状壁５と該筒状壁５の両端を塞ぐ側壁６とからなり筒状壁５には昇華転写リボンの通過口７が開口しており両側壁６にはボビン支承孔８が開口しているリボン収容部９と、両リボン収容部９の間に位置し両リボン収容部９に連続するカセット枠１０とを含んでいる。そして、ボビンの回り止め部材の着脱が可能な部分としての隙間１１が、リボン収容部９から突出するボビン３の軸部３ａとカセット枠１０の端部１０ａの間に形成されている。
【００２０】
図３は巻き出し側の隙間１１に回り止め部材１２を装着した状態を示す。本発明においてボビンの回り止め部材１２として、コスト的に安価であり、前記隙間１１への着脱が容易であり、且つボビンの回転運動を制止するポリスチレン、ポリエチレン、ポリウレタン等の各種の発泡材からなる発泡シートが好ましい。
【００２１】
また、ボビン３とカセット枠１０の関係に関しては、両者間に形成される隙間１１が狭く両者平行に位置しているのが望ましいが、図４に示すようにボビン３とカセット枠１０の両者が斜めにずれており回り止め部材１２が斜めに支承される場合でも回り止めの機能を持たせることができる。
【００２２】
この図２に示す昇華転写リボンのカセットにおいては、リボン収容部９から突出するボビン３の軸部３ａとカセット枠１０の端部の間にボビンの回り止め部材１２の着脱が可能な隙間１１を設けるだけでよく、コストアップを招く惧れはない。また、回り止め部材１２は供給側にだけ装着するだけで昇華転写リボン２の巻弛みを防止することができ多くの発泡シートを必要としない。
【００２３】
また、カセット本体の形状が適当でないと回り止め部材を大きくする必要があるが本発明においては回り止め部材の形状は単純にすることができる。
【００２４】
図５は本発明に係る昇華転写リボンのカセットの別の例を上方から見た状態で示す概観図である。
【００２５】
図５に示す昇華転写リボンのカセットは、第１及び第２のボビンとしてフランジ部１３を有するボビン３，４を備え、カセット本体が、フランジ部付きボビン３，４の周囲を部分的に囲む周壁１４と該周壁１４に続く側壁１５を含み該側壁１５はボビン支承部１６を備える二つの開放型ボビン支持部１７と、両ボビン支持部１７の間に位置し該ボビン支持部１７に連続するカセット枠１０を含み、ボビンの回り止め部材の着脱が可能な部分が、フランジ部１３の外面とカセット枠１０の内面の間に形成されている。なお、図５は回り止め部材１２を装着した状態を示す。
【００２６】
この図５に示す昇華転写リボンのカセットにおいては、ボビン３，４のフランジ部１３とカセット枠１０の内面或いはフランジ部１３に対向するカセット本体の部分の間にボビン３，４の回り止め部材１２の着脱が可能な隙間を設けるだけでよく、コストアップを招く惧れはない。また、回り止め部材１２は供給側にだけ装着するだけで昇華転写リボン２の巻弛みを防止することができ多くの発泡シートを必要としない。
【００２７】
以上、本発明の実施の形態について詳細に説明してきたが、本発明による昇華転写リボンのカセット及び昇華転写リボンの巻弛み防止方法は、上記実施の形態に何ら限定されるものではなく、本発明の趣旨を逸脱しない範囲において種々の変更が可能であることは当然のことである。
【００２８】
【発明の効果】
本発明の昇華転写リボンのカセットは、昇華転写リボンが巻き付けられる第１のボビン及び該第１のボビンから巻き出された昇華転写リボンが巻き取られる第２のボビンと両ボビンを支持するカセット本体を備える昇華転写リボンのカセットであって、前記ボビンとカセット本体の外面又は内面の間にボビンの回り止め部材の着脱が可能な部分が形成されていることを特徴としているので、極めて低いコストで十分に巻弛み防止機能を果たす部分を備える昇華転写リボンのカセットを提供することができる。
【００２９】
また、本発明の昇華転写リボンの巻弛み防止方法によれば、昇華転写リボンが巻き付けられる第１のボビン及び該第１のボビンから巻き出された昇華転写リボンが巻き取られる第２のボビンと両ボビンを支持するカセット本体とを備える昇華転写リボンのカセットにおけるボビンとカセット本体の外面又は内面の間にボビンの回り止め部材を装着することにより、極めて低いコストで昇華転写リボンの巻弛みを防止することができる。
【図面の簡単な説明】
【図１】従来の昇華転写リボンの巻弛み防止に使用する紙片の斜視図である。
【図２】本発明に係る昇華転写リボンのカセットの一例を上方から見た状態で示す概観図である。
【図３】図２に示すカセットに回り止め部材を装着した状態を示す図である。
【図４】回り止め部材を斜めに装着した状態を示す図である。
【図５】本発明に係る昇華転写リボンのカセットの別の例を上方から見た状態で示す概観図である。
【符号の説明】
２　昇華転写リボン
３　第１のボビン
４　第２のボビン
５　筒状壁
６　側壁
７　通過口
８　ボビン支承孔
９　リボン収容部
１０　カセット枠
１１　隙間
１２　回り止め部材
１３　フランジ部
１４　周壁
１５　側壁
１６　ボビン支承部
１７　ボビン支持部
【図１】
2004098367.tif 000003
【図２】
2004098367.tif 000004
【図３】
2004098367.tif 000005
【図４】
2004098367.tif 000006
【図５】
2004098367.tif 000007